(57)【要約】【課題】セキュリティの向上が実現できる非接触ＩＣ記録媒体システムを提供するとともに、非接触ＩＣ記録媒体および非接触ＩＣ記録媒体読取装置を提供すること。【解決手段】ディジタルデータが記録された複数の非接触ＩＣカード１１０、１２０と、複数の非接触ＩＣカード１１０、１２０と負荷変調方式により同時に通信し、非接触ＩＣカード１１０、１２０から同時に応答されるレスポンスの波形を重畳させて合成波形として受信するアンテナ１３１および無線通信回路１３３、並びに合成波形をディジタルデータに復調する復調回路１３５を有する複数の非接触ＩＣカード１１０、１２０に記録されたディジタルデータを読み取る読取装置１３０とを備える。【選択図】　図１
2004054851.tif 000002
【特許請求の範囲】
【請求項１】
ディジタルデータが記録された複数の非接触ＩＣ記録媒体と、
前記複数の非接触ＩＣ記録媒体と負荷変調方式により同時に通信し、前記複数の非接触ＩＣ記録媒体から同時に応答されるレスポンスの波形を重畳させて合成波形として受信する受信部および前記合成波形をディジタルデータに復調する復調部を有する前記複数の非接触ＩＣ記録媒体に記録されたディジタルデータを読み取る読取装置とを備えたことを特徴とする非接触ＩＣ記録媒体システム。
【請求項２】
前記各非接触ＩＣ記録媒体が、前記複数の非接触ＩＣ記録媒体に記録されたそれぞれのディジタルデータに応じて、多段階の負荷変調度合いを有するレスポンスを前記読取装置に返し、
前記読取装置の復調部は、前記合成波形から負荷変調の度合いを多段階評価し、前記ディジタルデータに復調することを特徴とする請求項１に記載の非接触ＩＣ記録媒体システム。
【請求項３】
前記非接触ＩＣ記録媒体が、前記複数の非接触ＩＣ記録媒体に記録されたそれぞれのディジタルデータに応じて、多段階の負荷変調度合いを個別に設定でき、
前記読取装置の復調部は、前記合成波形から負荷変調の度合いを２段階評価し、前記ディジタルデータに復調することを特徴とする請求項１に記載の非接触ＩＣ記録媒体システム。
【請求項４】
前記読取装置の復調部は、前記合成波形の位相変化の状態を少なくとも３通り以上判別し、前記ディジタルデータに復調することを特徴とする請求項１に記載の非接触ＩＣ記録媒体システム。
【請求項５】
前記各非接触ＩＣ記録媒体が、前記複数の非接触ＩＣ記録媒体に記録されたそれぞれのディジタルデータに応じて、異なるパルス位置を生成して応答し、
前記読取装置の復調部は、前記合成波形のパルス位置変化に基づいて、前記ディジタルデータに復調することを特徴とする請求項１に記載の非接触ＩＣ記録媒体システム。
【請求項６】
ディジタルデータが記録された複数の非接触ＩＣ記録媒体と同時に負荷変調方式により通信し、前記複数の非接触ＩＣ記録媒体から同時に応答されるレスポンスの波形を重畳させて合成波形として受信する受信部と、
前記合成波形をディジタルデータに復調する復調部とを備えたことを特徴とする非接触ＩＣ記録媒体読取装置。
【請求項７】
前記復調部は、前記合成波形から前記複数の非接触ＩＣ記録媒体の負荷変調の度合いを多段階評価し、前記ディジタルデータに復調することを特徴とする請求項６に記載の非接触ＩＣ記録媒体読取装置。
【請求項８】
前記復調部は、前記合成波形の位相変化の状態を少なくとも３通り以上判別し、前記ディジタルデータに復調することを特徴とする請求項６に記載の非接触ＩＣ記録媒体読取装置。
【請求項９】
前記復調部は、前記合成波形のパルス位置変化に基いて、前記ディジタルデータに復調することを特徴とする請求項６に記載の非接触ＩＣ記録媒体読取装置。
【請求項１０】
ディジタルデータを記憶領域に記録するディジタルデータ記録手段と、
前記記憶領域に記録されたディジタルデータを読み取る読取装置と負荷変調方式により通信を行う通信手段と、
前記記録されたディジタルデータに応じて、多段階の負荷変調度合いを有するレスポンスを前記読取装置に返すよう内部負荷を切り替える負荷切替手段とを備えたことを特徴とする非接触ＩＣ記録媒体。
【発明の詳細な説明】
【０００１】
【発明の属する技術分野】
本発明は、非接触ＩＣ記録媒体システム、非接触ＩＣ記録媒体および非接触ＩＣ記録媒体読取装置に関し、特に、複数の非接触ＩＣ記録媒体を同時に使用して、複数の非接触ＣＩ記録媒体にまたがって隠蔽されている真のデータを取得する非接触ＩＣ記録媒体システム、非接触ＩＣ記録媒体および非接触ＩＣ記録媒体読取装置に関するものである。
【０００２】
【従来の技術】
従来、この種の非接触ＩＣ記録媒体システムにおいて、入退管理や機密情報の閲覧等、各個人がそれぞれ保持する非接触ＩＣ記録媒体の固有データに基づいてセキュリティ対象へのアクセス権を個別設定する方法や、暗号処理によって個々のＩＣ記録媒体のデータを隠蔽する方法が知られている。
【０００３】
また、ＩＣ記録媒体の大容量性と多機能性を活かし、ユーザに配布するＩＣ記録媒体毎に個別のアクセス権をもたせて認証データを格納したり（特許第２７３１９４５号公報）、データの暗号化をする（特開２００１−１４３０４６号公報）などしてセキュリティを確保する方法が知られている。
【０００４】
【発明が解決しようとする課題】
しかし、このような従来の非接触ＩＣ記録媒体の読取装置では、非接触ＩＣ記録媒体そのものの盗難や、データ複製等の危険等を考えると、非接触ＩＣ記録媒体に個別に設定するアクセス権管理では充分ではない場合があるという問題点があった。
【０００５】
本発明はこのような問題を解決するためになされたもので、セキュリティの向上が実現できる非接触ＩＣ記録媒体システム、非接触ＩＣ記録媒体および非接触ＩＣ記録媒体読取装置を提供するものである。
【０００６】
【課題を解決するための手段】
本発明の非接触ＩＣ記録媒体システムは、ディジタルデータが記録された複数の非接触ＩＣ記録媒体と、前記複数の非接触ＩＣ記録媒体と負荷変調方式により同時に通信し、前記複数の非接触ＩＣ記録媒体から同時に応答されるレスポンスの波形を重畳させて合成波形として受信する受信部および前記合成波形をディジタルデータに復調する復調部を有する前記複数の非接触ＩＣ記録媒体に記録されたディジタルデータを読み取る読取装置とを備えたことを特徴とした構成を有している。
【０００７】
この構成により、複数の非接触ＩＣ記録媒体から同時に応答されるレスポンスの波形を重畳させた合成波形について、整合性の評価あるいは真の情報データの抽出を行うことができる。この評価あるいは抽出の結果は、複数の非接触ＩＣ記録媒体がある特定の組み合わせでない限り正当な応答は得られないので、非接触ＩＣ記録媒体単体に情報データを記録する場合と比較して、セキュリティの向上が実現できることとなる。
また、本発明の非接触ＩＣ記録媒体システムは、ディジタルデータが記録された複数の非接触ＩＣ記録媒体と、前記複数の非接触ＩＣ記録媒体と負荷変調方式により同時に通信し、前記複数の非接触ＩＣ記録媒体から同時に応答されるレスポンスの波形を重畳させて合成波形として受信する受信部および前記合成波形をディジタルデータに復調する復調部を有する前記複数の非接触ＩＣ記録媒体に記録されたディジタルデータを読み取る読取装置とを備え、前記各非接触ＩＣ記録媒体が、前記複数の非接触ＩＣ記録媒体に記録されたそれぞれのディジタルデータに応じて、多段階の負荷変調度合いを有するレスポンスを前記読取装置に返し、前記読取装置の復調部は、前記合成波形から負荷変調の度合いを多段階評価し、前記ディジタルデータに復調することを特徴とした構成を有している。
【０００８】
この構成により、複数の非接触ＩＣ記録媒体から同時に応答されるレスポンスの波形を重畳させた合成波形について、整合性の評価あるいは真の情報データの抽出を行うことができる。この評価あるいは抽出の結果は、複数の非接触ＩＣ記録媒体がある特定の組み合わせでない限り正当な応答は得られないので、非接触ＩＣ記録媒体単体に情報データを記録する場合と比較して、セキュリティの向上が実現できることとなる。
さらに、本発明の非接触ＩＣ記録媒体システムは、ディジタルデータが記録された複数の非接触ＩＣ記録媒体と、前記複数の非接触ＩＣ記録媒体と負荷変調方式により同時に通信し、前記複数の非接触ＩＣ記録媒体から同時に応答されるレスポンスの波形を重畳させて合成波形として受信する受信部および前記合成波形をディジタルデータに復調する復調部を有する前記複数の非接触ＩＣ記録媒体に記録されたディジタルデータを読み取る読取装置とを備え、前記非接触ＩＣ記録媒体が、前記複数の非接触ＩＣ記録媒体に記録されたそれぞれのディジタルデータに応じて、多段階の負荷変調度合いを個別に設定でき、前記読取装置の復調部は、前記合成波形から負荷変調の度合いを２段階評価し、前記ディジタルデータに復調することを特徴とした構成を有している。
【０００９】
この構成により、複数の非接触ＩＣ記録媒体が互いに負荷を打ち消し、あたかも、２段階の負荷切り替えの一枚の非接触ＩＣ記録媒体のレスポンスのように、レスポンスを生成することができ、複数の非接触ＩＣ記録媒体にまたがって隠蔽されている真のデータを抽出することができることとなる。
また、本発明の非接触ＩＣ記録媒体システムは、ディジタルデータが記録された複数の非接触ＩＣ記録媒体と、前記複数の非接触ＩＣ記録媒体と負荷変調方式により同時に通信し、前記複数の非接触ＩＣ記録媒体から同時に応答されるレスポンスの波形を重畳させて合成波形として受信する受信部および前記合成波形をディジタルデータに復調する復調部を有する前記複数の非接触ＩＣ記録媒体に記録されたディジタルデータを読み取る読取装置とを備え、前記読取装置の復調部は、前記合成波形の位相変化の状態を少なくとも３通り以上判別し、前記ディジタルデータに復調することを特徴とした構成を有している。
【００１０】
この構成により、複数の非接触ＩＣ記録媒体にまたがって隠蔽されている真のデータを抽出することができることとなる。
さらに、本発明の非接触ＩＣ記録媒体システムは、ディジタルデータが記録された複数の非接触ＩＣ記録媒体と、前記複数の非接触ＩＣ記録媒体と負荷変調方式により同時に通信し、前記複数の非接触ＩＣ記録媒体から同時に応答されるレスポンスの波形を重畳させて合成波形として受信する受信部および前記合成波形をディジタルデータに復調する復調部を有する前記複数の非接触ＩＣ記録媒体に記録されたディジタルデータを読み取る読取装置とを備え、前記各非接触ＩＣ記録媒体が、前記複数の非接触ＩＣ記録媒体に記録されたそれぞれのディジタルデータに応じて、異なるパルス位置を生成して応答し、前記読取装置の復調部は、前記合成波形のパルス位置変化に基づいて、前記ディジタルデータに復調することを特徴とした構成を有している。
【００１１】
この構成により、正しい組み合わせの非接触ＩＣ記録媒体を用いた時のみしか、正当な応答が得られず、正しい情報データが取得できないこととなり、非接触ＩＣ記録媒体単体を使用する場合と比較して、セキュリティの向上が実現できる。
また、本発明の非接触ＩＣ記録媒体読取装置は、ディジタルデータが記録された複数の非接触ＩＣ記録媒体と同時に負荷変調方式により通信し、前記複数の非接触ＩＣ記録媒体から同時に応答されるレスポンスの波形を重畳させて合成波形として受信する受信部と、前記合成波形をディジタルデータに復調する復調部とを備えたことを特徴とした構成を有している。
【００１２】
この構成により、複数の非接触ＩＣ記録媒体から同時に応答されるレスポンスの波形を重畳させた合成波形について、整合性の評価あるいは真の情報データの抽出を行うことができる。この評価あるいは抽出の結果は、複数の非接触ＩＣ記録媒体がある特定の組み合わせでない限り正当な応答は得られないので、非接触ＩＣ記録媒体単体に情報データを記録する場合と比較して、セキュリティの向上が実現できることとなる。
さらに、本発明の非接触ＩＣ記録媒体読取装置は、ディジタルデータが記録された複数の非接触ＩＣ記録媒体と同時に負荷変調方式により通信し、前記複数の非接触ＩＣ記録媒体から同時に応答されるレスポンスの波形を重畳させて合成波形として受信する受信部と、前記合成波形をディジタルデータに復調する復調部とを備え、前記復調部は、前記合成波形から前記複数の非接触ＩＣ記録媒体の負荷変調の度合いを多段階評価し、前記ディジタルデータに復調することを特徴とした構成を有している。
【００１３】
この構成により、複数の非接触ＩＣ記録媒体から同時に応答されるレスポンスの波形を重畳させた合成波形について、整合性の評価あるいは真の情報データの抽出を行うことができる。この評価あるいは抽出の結果は、複数の非接触ＩＣ記録媒体がある特定の組み合わせでない限り正当な応答は得られないので、非接触ＩＣ記録媒体単体に情報データを記録する場合と比較して、セキュリティの向上が実現できることとなる。
本発明の非接触ＩＣ記録媒体読取装置は、ディジタルデータが記録された複数の非接触ＩＣ記録媒体と同時に負荷変調方式により通信し、前記複数の非接触ＩＣ記録媒体から同時に応答されるレスポンスの波形を重畳させて合成波形として受信する受信部と、前記合成波形をディジタルデータに復調する復調部とを備え、前記復調部は、前記合成波形の位相変化の状態を少なくとも３通り以上判別し、前記ディジタルデータに復調することを特徴とした構成を有している。
【００１４】
この構成により、複数の非接触ＩＣ記録媒体にまたがって隠蔽されている真のデータを抽出することができることとなる。
本発明の非接触ＩＣ記録媒体読取装置は、ディジタルデータが記録された複数の非接触ＩＣ記録媒体と同時に負荷変調方式により通信し、前記複数の非接触ＩＣ記録媒体から同時に応答されるレスポンスの波形を重畳させて合成波形として受信する受信部と、前記合成波形をディジタルデータに復調する復調部とを備え、前記復調部は、前記合成波形のパルス位置変化に基いて、前記ディジタルデータに復調することを特徴とした構成を有している。
【００１５】
この構成により、正しい組み合わせの非接触ＩＣ記録媒体を用いた時のみしか、正当な応答が得られず、正しい情報データが取得できないこととなり、非接触ＩＣ記録媒体単体を使用する場合と比較して、セキュリティの向上が実現できる。
本発明の非接触ＩＣ記録媒体は、ディジタルデータを記憶領域に記録するディジタルデータ記録手段と、前記記憶領域に記録されたディジタルデータを読み取る読取装置と負荷変調方式により通信を行う通信手段と、前記記録されたディジタルデータに応じて、多段階の負荷変調度合いを有するレスポンスを前記読取装置に返すよう内部負荷を切り替える負荷切替手段とを備えたことを特徴とした構成を有している。
【００１６】
この構成により、記録されたディジタルデータに応じて、多段階の負荷変調度合いを有するレスポンスを読取装置に返すように内部負荷を切り替えることができるので、複数の非接触ＩＣ記録媒体を用いて、各非接触ＩＣ記録媒体に情報データを分割して記録し、これらの複数の非接触ＩＣ記録媒体から同時に応答されるレスポンスの波形を重畳させた合成波形について、整合性の評価あるいは真の情報データの抽出を読取装置に行わせることができる。この評価あるいは抽出の結果は、複数の非接触ＩＣ記録媒体がある特定の組み合わせでない限り正当な応答は得られないので、非接触ＩＣ記録媒体単体に情報データを記録する場合と比較して、セキュリティの向上が実現できることとなる。
【００１７】
【発明の実施の形態】
以下、本発明の実施の形態について、図面を用いて説明する。尚、すべての図面において、同様な構成要素は同じ参照記号および符号を用いて示してある。
【００１８】
（第１の実施の形態）
図１に示すように、本発明の第１の実施の形態の非接触ＩＣカードシステムは、ディジタルデータが記録された少なくとも２枚の非接触ＩＣカード１１０、１２０と、非接触ＩＣカード１１０、１２０と負荷変調方式により同時に通信し、非接触ＩＣカード１１０、１２０から同時に応答されるレスポンスの波形Ａおよび波形Ｂを重畳させて合成波形Ｃとして受信するアンテナ１３１、合成波形Ｃを抽出する波形抽出手段１４０を有し、非接触ＩＣカード１１０、１２０に記録されているディジタルデータを読み取る読取装置１３０とを備えている。
【００１９】
図２は、図１に示した非接触ＩＣカードシステムの概略構成ブロック図を示す。図２に示すように、各非接触ＩＣカード１１０、１２０は、アンテナ１０１と、アンテナ１０１を介して読取装置１３０と無線通信を行う無線通信回路１０３と、ディジタルデータが記録されたメモリ１０５と、メモリ１０５に記録されているディジタルデータを無線通信回路１０３から送信する信号に変調する変調回路１０７と、内部の負荷を切り替える負荷切替回路１０８と、これらの回路を制御する制御回路１０９とを有する。
【００２０】
読取装置１３０は、アンテナ１３１と、アンテナ１３１を介して非接触ＩＣカード１１０、１２０と負荷変調方式により同時に無線通信を行う無線通信回路１３３と、無線通信回路１３３で受信した信号をディジタルデータに復調する復調回路１３５と、受信したディジタルデータを記憶するメモリ１３７と、これらに回路を制御する制御回路１３９とを有する。
【００２１】
図３は、本発明の第１の実施の形態の非接触ＩＣカードシステムにおける複数の非接触ＩＣカードの重畳されたレスポンスの合成波形を示す図である。図３に示すように、本発明の第１の実施の形態の非接触ＩＣカードシステムにおいて、非接触ＩＣカード１１０、１２０は、互いに内部の負荷が同じ値、すなわち、内部の負荷の応答が「大−大」または「小−小」の組み合わせとして重畳されて強く変調される部分だけが抽出されるように、負荷切替回路１０８により、大小の２値に設定されている。すなわち、真のデータは、２枚の非接触ＩＣカード１１０、１２０にまたがって隠蔽されて記録されている。
【００２２】
読取装置１３０では、非接触ＩＣカード１１０、１２０の内部の負荷が、「大−大」または「小−小」の組み合わせとして強く変調される部分だけを状態検出してデータとして抽出する。
【００２３】
このように構成された第１の実施の形態の非接触ＩＣカードシステムの動作を以下に図１乃至図３を用いて説明する。
【００２４】
まず、非接触ＩＣカード１１０、１２０において、負荷切替回路１０８により、図３（ａ）および図３（ｂ）にそれぞれ示すように、異なる波形Ａおよび波形Ｂがそれぞれ応答されるように内部の負荷が設定される。これらは、互いの異なる応答が重畳されて強めあう部分、すなわち２枚のカード負荷が、「大−大」または「小−小」の組み合わせとして強く変調されている部分だけが読取装置１３０で抽出されるように、大小の２値に設定される。
【００２５】
図３に示すように内部の負荷が大小の２値に設定された２枚の非接触ＩＣカード１１０、１２０を同時に使用し、読取装置１３０の無線通信回路１３３によって、これら２枚の非接触ＩＣカード１１０、１２０と、負荷変調方式により同時に通信して、非接触ＩＣカード１１０、１２０から同時に応答されるレスポンスの波形Ａおよび波形Ｂが重畳されて図３（ｃ）に示すように合成波形Ｃとして受信される。
【００２６】
読取装置１３０の復調回路１３５により、合成波形Ｃの負荷変調の度合いが多段階評価され、図３（ｃ）に示すように、その状態“ＬＨＬ＊ＬＨＬ＊ＬＬ”が検出される。検出された状態から、さらに「大−大」または「小−小」の組み合わせとして強く変調されている部分だけが抽出され、真のデータ“ＬＨＬＬＨＬＬＬ”が得られる。
【００２７】
このように、複数の非接触ＩＣカード１１０、１２０は、互いに相手のデータのフィルタとして働き、複数の非接触ＩＣカードにまたがって隠蔽されている真のデータを抽出することができる。すなわち、複数の非接触ＩＣカードに対して同時にコマンドを送信し、それぞれの非接触ＩＣカードが個別に行う負荷変調を合成したものが、真のレスポンスデータとなるように各非接触ＩＣカードのデータを予め書き込みしておくと、非接触ＩＣカード１枚ずつはデータを不完全とすることができるため、カードの複製や盗難等によるハッキングの危険を低減することができる。
【００２８】
以上のように、本発明の第１の実施の形態の非接触ＩＣ記録媒体システムは、ディジタルデータが記録された複数の非接触ＩＣカード１１０、１２０と、複数の非接触ＩＣカード１１０、１２０と負荷変調方式により同時に通信し、複数の非接触ＩＣカード１１０、１２０から同時に応答されるレスポンスの波形を重畳させて合成波形として受信するアンテナ１３１および無線通信回路１３３、並びに合成波形をディジタルデータに復調する復調回路１３５を有する複数の非接触ＩＣ記録媒体に記録されたディジタルデータを読み取る読取装置１３０とを備え、各非接触ＩＣカード１１０、１２０が、複数の非接触ＩＣカード１１０、１２０に記録されたそれぞれのディジタルデータに応じて、多段階の負荷変調度合いを有するレスポンスを読み取り装置１３０に返し、読取装置１３０の復調回路１３５は、合成波形から負荷変調の度合いを多段階評価し、ディジタルデータに復調するので、複数の非接触ＩＣカード１１０、１２０から同時に応答されるレスポンスの波形ＡおよびＢを重畳させた合成波形Ｃについて、整合性の評価あるいは真の情報データの抽出を行うことができる。この評価あるいは抽出の結果は、複数の非接触ＩＣカード１１０、１２０がある特定の組み合わせでない限り正当な応答は得られないので、非接触ＩＣカード単体に情報データを記録する場合と比較して、セキュリティの向上が実現できる。
【００２９】
尚、上記実施の形態では２枚の非接触ＩＣカードを用いた場合について説明したが、本発明は３枚あるいはそれ以上の非接触ＩＣカードを用いても同様の効果が得られるものである。
【００３０】
さらに、上記実施の形態では非接触ＩＣカードからデータを読み取る手段として読取装置を用いた場合について説明したが、本発明は読取装置のほかに、リーダライタなどを用いても同様の効果が得られるものである。
【００３１】
（第２の実施の形態）
本発明の第２の実施の形態の非接触ＩＣカードシステムは、上記第１の実施の形態とは、読取装置１３０が、非接触ＩＣカード１１０、１２０の内部の負荷の組み合わせとして考えられる、「大−大」、「小−小」、および「大−小」の３通りについて、合成波形Ｃの状態に独自の値、例えば、Ｈ、Ｌおよび＊をそれぞれ割りつける点が相違している。この構成によれば、単体の非接触ＩＣカードでは表現できない波形を生成し、データとして抽出することが可能であるという効果が得られる。
【００３２】
本発明の第２の実施の形態の非接触ＩＣカードシステムの動作について、以下に図３を用いて説明する。
【００３３】
まず、非接触ＩＣカード１１０、１２０に、図３に示すように、異なる波形Ａおよび波形Ｂがそれぞれ応答されるように、負荷切替回路１０８により、内部の負荷が大小の２値に設定される。これは、上記第１の実施の形態と同様である。
【００３４】
図３に示すように内部の負荷が大小の２値に設定された２枚の非接触ＩＣカード１１０、１２０を同時に使用し、読取装置１３０の無線通信回路１３３によって、これら２枚の非接触ＩＣカード１１０、１２０と、負荷変調方式により同時に通信して、非接触ＩＣカード１１０、１２０から同時に応答されるレスポンスの波形Ａおよび波形Ｂが重畳させて合成波形Ｃとして受信される。
【００３５】
読取装置１３０の復調回路１３５により、合成波形Ｃの負荷変調の度合いが多段階評価され、その状態“ＬＨＬ＊ＬＨＬ＊ＬＬ”が検出される。
【００３６】
本実施の形態において、非接触ＩＣカード１１０、１２０の内部の負荷の組み合わせとして考えられる、「大−大」、「小−小」、および「大−小」の３通りについて、合成波形Ｃの状態に、例えば、Ｌ＝０、Ｈ＝１、＊＝３という独自の値が読取装置１３０により割り付けられる。
【００３７】
これにより、単体の非接触ＩＣカードでは表現できない波形が２枚の非接触ＩＣカード１１０、１２０により生成され、データ“０１０３０１０３００”が読取装置１３０により、２枚の非接触ＩＣカード１１０、１２０にまたがって隠蔽された真のデータとして抽出される。
【００３８】
このように、複数の非接触ＩＣカード１１０、１２０は、互いに相手のデータのフィルタとして働き、複数の非接触ＩＣカードにまたがって隠蔽されている真のデータを抽出することができる。
【００３９】
以上のように本発明の第２の実施の形態の非接触ＩＣ記録媒体システムは、ディジタルデータが記録された複数の非接触ＩＣカード１１０、１２０と、複数の非接触ＩＣカード１１０、１２０と負荷変調方式により同時に通信し、複数の非接触ＩＣカード１１０、１２０から同時に応答されるレスポンスの波形を重畳させて合成波形として受信するアンテナ１３１および無線通信回路１３３、並びに合成波形をディジタルデータに復調する復調回路１３５を有する複数の非接触ＩＣ記録媒体に記録されたディジタルデータを読み取る読取装置１３０とを備え、非接触ＩＣカード１１０、１２０が、複数の非接触ＩＣカード１１０、１２０に記録されたそれぞれのディジタルデータに応じて、数段階の変調度合いを設定でき、復調回路１３５は、合成波形Ｃからディジタルデータに復調するので、複数の非接触ＩＣカード１１０、１２０から同時に応答されるレスポンスの波形ＡおよびＢを重畳させた合成波形Ｃについて、整合性の評価あるいは真の情報データの抽出を行うことができる。この評価あるいは抽出の結果は、複数の非接触ＩＣカード１１０、１２０がある特定の組み合わせでない限り正当な応答は得られないので、非接触ＩＣカード単体に情報データを記録する場合と比較して、セキュリティの向上が実現できる。
【００４０】
尚、上記実施の形態では２枚の非接触ＩＣカードを用いた場合について説明したが、本発明は３枚あるいはそれ以上の非接触ＩＣカードを用いても同様の効果が得られるものである。
【００４１】
さらに、上記実施の形態では非接触ＩＣカードからデータを読み取る手段として読取装置を用いた場合について説明したが、本発明は読取装置のほかに、リーダライタなどを用いても同様の効果が得られるものである。
【００４２】
（第３の実施の形態）
本発明の第３の実施の形態の非接触ＩＣカードシステムは、上記第１の実施の形態とは、非接触ＩＣカード１１０、１２０が、記録されたディジタルデータに応じて、多段階の負荷変調度合いを個別に設定でき、読取装置１３０の復調回路１３５は、合成波形Ｃから負荷変調の度合いを２段階評価し、ディジタルデータに復調する点が相違している。
【００４３】
本発明の第３の実施の形態の非接触ＩＣカードシステムの動作について、以下に図４を用いて説明する。
【００４４】
まず、図４（ａ）に示すように、非接触ＩＣカード１１０に、負荷切替回路１０８により、中（＋１）／小（＋０）２通りの内部の負荷の切り替えを行い、図４（ｂ）に示すように、非接触ＩＣカード１２０に、負荷切替回路１０８により、大（＋２）／中（＋１）／小（＋０）の３通りの内部の負荷の切り替えを行う。
【００４５】
このように内部の負荷が設定された２枚の非接触ＩＣカード１１０、１２０を同時に使用すると、非接触ＩＣカード１１０により、非接触ＩＣカード１２０の負荷が打ち消され、あたかも、大（＋２）／中（＋１）の負荷切り替えの一枚の非接触ＩＣカードのレスポンスのように、図４（ｃ）に示すようにレスポンスが生成される。
【００４６】
読取装置１３０の無線通信回路１３３によって、これら２枚の非接触ＩＣカード１１０、１２０と、負荷変調方式により同時に通信されて、非接触ＩＣカード１１０、１２０から同時に応答されるレスポンスの波形Ａおよび波形Ｂが重畳させて合成波形Ｃとして受信される。
【００４７】
読取装置１３０の復調回路１３５により、合成波形Ｃの負荷変調の度合いが２段階評価され、データ“１２１１１２１２１１”が２枚の非接触ＩＣカード１１０、１２０にまたがって隠蔽された真のデータとして抽出される。
【００４８】
このように、非接触ＩＣカード１１０により、非接触ＩＣカード１２０の負荷を打ち消し、あたかも、大（＋２）／中（＋１）の負荷切り替えの一枚の非接触ＩＣカードのレスポンスのように、レスポンスを生成することができる。
【００４９】
以上のように本発明の第３の実施の形態の非接触ＩＣ記録媒体システムは、ディジタルデータが記録された複数の非接触ＩＣカード１１０、１２０と、複数の非接触ＩＣカード１１０、１２０と負荷変調方式により同時に通信し、複数の非接触ＩＣカード１１０、１２０から同時に応答されるレスポンスの波形を重畳させて合成波形として受信するアンテナ１３１および無線通信回路１３３、並びに合成波形をディジタルデータに復調する復調回路１３５を有する複数の非接触ＩＣ記録媒体に記録されたディジタルデータを読み取る読取装置１３０とを備え、非接触ＩＣカード１１０、１２０が、複数の非接触ＩＣカード１１０、１２０に記録されたそれぞれのディジタルデータに応じて、多段階の負荷変調度合いを個別に設定でき、読取装置１３０の復調回路１３５が、合成波形Ｃから負荷変調の度合いを２段階評価し、ディジタルデータに復調するので、非接触ＩＣカード１１０により、非接触ＩＣカード１２０の負荷を打ち消し、あたかも、２段階の負荷切り替えの一枚の非接触ＩＣカードのレスポンスのように、レスポンスを生成することができ、複数の非接触ＩＣカードにまたがって隠蔽されている真のデータを抽出することができる。
【００５０】
尚、上記実施の形態では２枚の非接触ＩＣカードを用いた場合について説明したが、本発明は３枚あるいはそれ以上の非接触ＩＣカードを用いても同様の効果が得られるものである。
【００５１】
さらに、上記実施の形態では非接触ＩＣカードからデータを読み取る手段として読取装置を用いた場合について説明したが、本発明は読取装置のほかに、リーダライタなどを用いても同様の効果が得られるものである。
【００５２】
（第４の実施の形態）
本発明の第４の実施の形態の非接触ＩＣカードシステムは、上記第１乃至第３の実施の形態とは、読取装置１３０の復調回路１３５が、合成波形Ｃの位相変化の状態を少なくとも３通り以上判別し、ディジタルデータに復調する点が相違している。
【００５３】
本発明の第４の実施の形態の非接触ＩＣカードシステムの動作について、以下に図５を用いて説明する。
【００５４】
図５は、本発明の第４の実施の形態の非接触ＩＣカードシステムにおける複数の非接触ＩＣカードの重畳されたレスポンスの合成波形を示す図である。本発明の第４の実施の形態の非接触ＩＣカードシステムにおいて、図５（ａ）および図５（ｂ）にそれぞれ示すように、非接触ＩＣカード１１０、１２０は、負荷切替回路１０８による大小２通りの負荷切替によって、０°および１８０°の位相シフトキーイング（ＢＰＳＫ：Ｂｉｎａｒｙ　Ｐｈａｓｅ　Ｓｈｉｆｔ　Ｋｅｙｉｎｇ）で応答する。
【００５５】
このように内部の負荷が負荷切替回路１０８により設定された２枚の非接触ＩＣカード１１０、１２０を同時に使用すると、非接触ＩＣカード１１０、１２０の内部の負荷の組み合わせにより、図５（ｃ）に示すように、位相状態として０°および１８０°に加えて不定な状態（＊）として３通りが読取装置１３０により判別され、位相状態として“０−＊−１８０−＊−０−＊”が検出される。
【００５６】
尚、第１の実施の形態と同様に、不定な状態（＊）は除いて抽出されるようにしても良い。この場合は、位相状態として“０−１８０−０”が検出される。
【００５７】
以上のように、本発明の第４の実施の形態の非接触ＩＣ記録媒体システムは、ディジタルデータが記録された複数の非接触ＩＣカード１１０、１２０と、複数の非接触ＩＣカード１１０、１２０と負荷変調方式により同時に通信し、複数の非接触ＩＣカード１１０、１２０から同時に応答されるレスポンスの波形を重畳させて合成波形として受信するアンテナ１３１および無線通信回路１３３、並びに合成波形をディジタルデータに復調する復調回路１３５を有する複数の非接触ＩＣ記録媒体に記録されたディジタルデータを読み取る読取装置１３０とを備え、読取装置１３０の復調回路１３５は、合成波形Ｃの位相変化の状態を少なくとも３通り以上判別し、ディジタルデータに復調するので、複数の非接触ＩＣカードにまたがって隠蔽されている真のデータを抽出することができる。
【００５８】
尚、上記実施の形態では２枚の非接触ＩＣカードを用いた場合について説明したが、本発明は３枚あるいはそれ以上の非接触ＩＣカードを用いても同様の効果が得られるものである。
【００５９】
さらに、上記実施の形態では非接触ＩＣカードからデータを読み取る手段として読取装置を用いた場合について説明したが、本発明は読取装置のほかに、リーダライタなどを用いても同様の効果が得られるものである。
【００６０】
（第５の実施の形態）
本発明の第５の実施の形態の非接触ＩＣカードシステムは、上記第１乃至第４の実施の形態とは、各非接触ＩＣカード１１０、１２０が、記録されたディジタルデータに応じて、異なるパルス位置を生成して応答し、読取装置１３０の復調回路１３５が、合成波形のパルス位置変化に基づいて、ディジタルデータに復調する点が相違している。
【００６１】
本実施の形態では、単位時間毎に１箇所存在するパルス波形によってビット列を復調する方式の非接触ＩＣカードを使用する。図６は、本発明の第５の実施の形態の非接触ＩＣカードシステムにおける波形と復調データの関係を示す。
【００６２】
図６に示すように、本実施の形態においては、単位時間（以後、「セクション」と呼ぶ）を４分割し、セクション中に１つ存在するパルスの位置によって“００”、“０１”、“１０”、“１１”の４通りのビット列を表す方法を例として用いる。
【００６３】
本発明の第５の実施の形態の非接触ＩＣカードシステムにおいて、非接触ＩＣカード１１０は、マスクカードとして使用される非接触ＩＣカード１２０と組み合わせて使用される。
【００６４】
本発明の第５の実施の形態の非接触ＩＣカードシステムの動作について、以下に図７および図８を用いて説明する。
【００６５】
図７（ａ）に示すように、非接触ＩＣカード１１０に記録されたディジタルデータに応じて、パルス位置が生成される。図７（ｂ）に示すように、マスクカードとして非接触ＩＣカード１２０に記録されたディジタルデータに応じて、パルス位置が生成される。
【００６６】
非接触ＩＣカード１１０にマスクカードである非接触ＩＣカード１２０が組み合わされた場合には、図７（ｃ）に示すような合成波形のレスポンスが得られる。このパルス位置変化に基づいて、各セクションのデータが復調され、図７（ｄ）に示すように、ビット列として“１１”、“００”、“１０”の結果がそれぞれ得られる。
【００６７】
一方、上記と同じ非接触ＩＣカード１１０に、図８（ｂ）に示すような不正なマスクカードが組み合わされた場合には、図８（ｃ）に示すような合成波形のレスポンスが得られる。このパルス位置変化に基づいて、各セクションのデータが復調され、図８（ｄ）に示すように、第１セクションのデータは、間違ったビット列“０１”が得られ、また第３セクションのデータは復調できない合成波形が得られることとなる。
【００６８】
以上のように本発明の第５の実施の形態の非接触ＩＣ記録媒体システムは、ディジタルデータが記録された複数の非接触ＩＣカード１１０、１２０と、複数の非接触ＩＣカード１１０、１２０と負荷変調方式により同時に通信し、複数の非接触ＩＣカード１１０、１２０から同時に応答されるレスポンスの波形を重畳させて合成波形として受信するアンテナ１３１および無線通信回路１３３、並びに合成波形をディジタルデータに復調する復調回路１３５を有する複数の非接触ＩＣ記録媒体に記録されたディジタルデータを読み取る読取装置１３０とを備え、各非接触ＩＣカード１１０、１２０が、複数の非接触ＩＣカード１１０、１２０に記録されたそれぞれのディジタルデータに応じて、異なるパルス位置を生成して応答し、読取装置１３０の復調回路１３５は、合成波形のパルス位置変化に基づいて、ディジタルデータに復調するので、正しい組み合わせの非接触ＩＣカードを用いた時のみしか、正当な応答が得られず、正しい情報データが取得できないこととなり、非接触ＩＣカード単体を使用する場合と比較して、セキュリティの向上が実現できる。
【００６９】
尚、上記実施の形態では２枚の非接触ＩＣカードを用いた場合について説明したが、本発明は３枚あるいはそれ以上の非接触ＩＣカードを用いても同様の効果が得られるものである。
【００７０】
さらに、上記実施の形態では非接触ＩＣカードからデータを読み取る手段として読取装置を用いた場合について説明したが、本発明は読取装置のほかに、リーダライタなどを用いても同様の効果が得られるものである。
【００７１】
【発明の効果】
以上説明したように、本発明は、ディジタルデータが記録された複数の非接触ＩＣ記録媒体と、前記複数の非接触ＩＣ記録媒体と負荷変調方式により同時に通信し、前記複数の非接触ＩＣ記録媒体から同時に応答されるレスポンスの波形を重畳させて合成波形として受信する受信部および前記合成波形をディジタルデータに復調する復調部を有する前記複数の非接触ＩＣ記録媒体に記録されたディジタルデータを読み取る読取装置とを備えることにより、複数の非接触ＩＣ記録媒体から同時に応答されるレスポンスの波形を重畳させた合成波形について、整合性の評価あるいは真の情報データの抽出を行うことができ、この評価あるいは抽出の結果は、複数の非接触ＩＣ記録媒体がある特定の組み合わせでない限り正当な応答は得られないので、非接触ＩＣ記録媒体単体に情報データを記録する場合と比較して、セキュリティの向上が実現できという優れた効果を有する非接触ＩＣ記録媒体システムを提供することができるものである。
【図面の簡単な説明】
【図１】本発明の第１の実施の形態の非接触ＩＣ記録媒体システムを示す構成図
【図２】図１に示した非接触ＩＣカードシステムの概略構成ブロック図
【図３】本発明の第１および第２の実施の形態の非接触ＩＣカードシステムにおける複数の非接触ＩＣカードの重畳されたレスポンスの合成波形を示す図
【図４】本発明の第３の実施の形態の非接触ＩＣ記録媒体システムにおける複数の非接触ＩＣカードの重畳されたレスポンスの合成波形を示す図
【図５】本発明の第４の実施の形態の非接触ＩＣ記録媒体システムにおける複数の非接触ＩＣカードの重畳されたレスポンスの合成波形を示す図
【図６】本発明の第５の実施の形態の非接触ＩＣ記録媒体システムの波形と復調データの関係を示す説明図
【図７】本発明の第５の実施の形態の非接触ＩＣ記録媒体システムにおける正当なマスクカードを組み合わせた場合の合成波形と復調データの関係を示す説明図
【図８】本発明の第５の実施の形態の非接触ＩＣ記録媒体システムにおける不正なマスクカードを組み合わせた場合の合成波形と復調データの関係を示す説明図
【符号の説明】
１０１　アンテナ（通信手段）
１０３　無線通信回路（通信手段）
１０５　メモリ（ディジタルデータ記録手段）
１０７　変調回路
１０８　負荷切替回路（負荷切替手段）
１０９　制御回路
１１０、１２０　非接触ＩＣカード（非接触ＩＣ記録媒体）
１３０　読取装置
１３１　アンテナ（受信部）
１３３　無線通信回路（受信部）
１３５　復調回路（復調部）
１３７　メモリ
１３９　制御回路
１４０　波形抽出手段
【図１】
2004054851.tif 000003
【図２】
2004054851.tif 000004
【図３】
2004054851.tif 000005
【図４】
2004054851.tif 000006
【図５】
2004054851.tif 000007
【図６】
2004054851.tif 000008
【図７】
2004054851.tif 000009
【図８】
2004054851.tif 000010